(57)【要約】【課題】本発明の目的は、厚手の始端部を有する編地の編成方法を提案する。【解決手段】前後の針床の編針に編目を形成する編出し部を編成する工程Ａと、編出し部の一方の針床に係止する編目のウェール方向に新たな編目を形成する工程Ｂと、編出し部の他方の針床に係止する編目のウェール方向に新たな編目を形成する工程Ｄと、工程Ｂと工程Ｄの間で、一方の針床に係止する編目に対し、割増やし編成を行う工程Ｃと、前記割増やし編成により形成された編目のウェール方向に新たな編目を形成すると共に、割増やし編成による増目またはその増目のウェール方向に繋がる編目を対向する編針に目移しする工程Ｅと、を備え、前記工程Ｂ〜Ｅを繰り返す工程を行う。【選択図】図１
2012062605.tif 000002
【特許請求の範囲】
【請求項１】
少なくとも前後一対の針床を備え、前後の針床間で編目の目移しが可能な横編機を用い、厚手の始端部を有する編地の編成方法において、  少なくとも前後一方の針床の編針に編出し部を編成する工程Ａと、  編出し部の一方の針床に係止する編目のウェール方向に新たな編目を形成する工程Ｂと、編出し部の他方の針床に係止する編目のウェール方向に新たな編目を形成する工程Ｄと、  工程Ｂと工程Ｄの間で、どちらか一方の針床に係止する編目に対し、割増やし編成を行う工程Ｃと  前記割増やし編成により形成された前後どちらかの編目のウェール方向に新たな編目を形成すると共に、割増やし編成による増目またはその増目のウェール方向に繋がる編目を対向する編針に目移しする工程Ｅと、を備え、  前記工程Ｂ〜Ｅを繰り返す工程を含むことを特徴とする厚手の始端部を有する編地の編成方法。
【請求項２】
前記工程Ｅの編成は、前記工程ＣとＤの間で行うことを特徴とする請求項１に記載の厚手の始端部を有する編地の編成方法。
【請求項３】
少なくとも前後一対の針床を備え、前後の針床間で編目の目移しが可能な横編機を用いて編成された厚手の始端部を有する編地であって、
編出し部の前後の編目に繋がる袋状の編地を備え、その袋状の一方の編目列から割増やし編成による編目が繋がり、割増やし編成による分岐した増目またはその増目に繋がる各編目が一方の編目列に重なる重ね目列を複数有し、それらの複数の重ね目列が袋状の編地内に収まっていることを特徴とする厚手の始端部を有する編地。
【発明の詳細な説明】
【技術分野】
【０００１】
本発明は、横編機を用いた厚手の始端部を有する編地の編成方法、およびその方法で編成された編地に関する。
【背景技術】
【０００２】
横編機を用いて編成した編地の始端部、例えば、セーターにおいての裾部や袖口部では、編地をしっかりさせるため、あるいは外観を美しくするために、裾や袖口の丈を通常の二倍になるように編成し、後の縫製工程で、編まれた裾の編出し部を内側に二つ折りにしてミシンで縫合することがある。本願出願人は、特許文献１でセーター等、筒状となった編地において、その縫製を省略できる四重構造を有する編地の編成方法について提案している。
【先行技術文献】
【特許文献】
【０００３】
【特許文献１】特許第２５１４４８９号公報
【発明の概要】
【発明が解決しようとする課題】
【０００４】
本発明の目的は、上記特許文献とは異なる方法による厚手の始端部を有する編地の編成方法とその方法で編成された編地を提案する。
【課題を解決するための手段】
【０００５】
本発明は、少なくとも前後一対の針床を備え、前後の針床間で編目の目移しが可能な横編機を用い、厚手の始端部を有する編地の編成方法において、少なくとも前後一方の針床の編針に編出し部を編成する工程Ａと、編出し部の一方の針床に係止する編目のウェール方向に新たな編目を形成する工程Ｂと、編出し部の他方の針床に係止する編目のウェール方向に新たな編目を形成する工程Ｄと、工程Ｂと工程Ｄの間で、どちらか一方の針床に係止する編目に対し、割増やし編成を行う工程Ｃと、前記割増やし編成により形成された前後どちらかの編目のウェール方向に新たな編目を形成すると共に、割増やし編成による増目またはその増目のウェール方向に繋がる編目を対向する編針に目移しする工程Ｅと、を備え、前記工程Ｂ〜Ｅを繰り返す工程を含むことを特徴とする。
【０００６】
また本発明で、前記工程Ｅの編成は、前記工程ＣとＤの間で行うことを特徴とする。
【０００７】
また本発明の編地は、少なくとも前後一対の針床を備え、前後の針床間で編目の目移しが可能な横編機を用いて編成された厚手の始端部を有する編地であって、編出し部の前後の編目に繋がる袋状の編地を備え、その袋状の一方の編目列から割増やし編成による編目が繋がり、割増やし編成による分岐した増目またはその増目に繋がる各編目が一方の編目列に重なる重ね目列を複数有し、それらの複数の重ね目列が袋状の編地内に収まっていることを特徴とする。
【発明の効果】
【０００８】
本発明では、横編機の針床に係止される編地の始端部として、袋状に編成する編地の内側に割増やされた編目列を複数配置することで十分な厚みが得られる。また、割増やされた編目が編出し部に繋がりを持つことで、引っ張られた場合には割増やされた編目列から編糸を供給し、引っ張りがなくなった場合には割増やされた編目列に伸びた編糸が戻ることで適度な伸縮性が得られる。
【０００９】
また、前記工程Ｅの編成を、前記工程ＣとＤの間で行うことで、割増やされた編目列を、編出し部に続く前後の編目内に確実に収めることができ、見栄えを損なわない。
【００１０】
また、本発明による編地は、袋状に編成する編地の内側に割増やされた編目列を複数備えることで、外観の見栄えが良い厚手の始端部が形成できる。
【図面の簡単な説明】
【００１１】
【図１】本発明の実施例１である厚手の始端部を有する編地の編成図である。
【図２】本発明の実施例２である厚手の始端部を有する編地の編成図である。
【発明を実施するための形態】
【００１２】
以下、本発明の実施の形態を、実施例１および実施例２として説明する。各実施例で編成に使用する横編機は、前後一対の針床を備えた２枚ベッド横編機であり、各針床間で目移しが可能である。編成に使用する横編機は４枚ベッドでもよい。また説明の便宜上、編針の数を実際よりも少なくしている。
【実施例１】
【００１３】
図１は、本発明の実施例１として、厚手の始端部を有する編地の編成図である。図中左側の数字は編成ステップ（Ｓ）を示し、左右方向の矢印は編成方向を、上下方向の矢印は目移し方向を示す。ＦＢは前針床を、ＢＢは後針床を示す。大文字のＡ〜ＪはＦＢの編針を、小文字のａ〜ｊはＢＢの編針を示す。また、○印はその編成ステップで形成される編目を、Ｖ印は掛目を、●印は割増やし編成時の増目を示す。尚、その編成ステップの編成に関係せず、編針に係止されたままの編目については図示を省略している。これらの表示や条件は、図２に示す実施例２にも適用する。
【００１４】
以下、図１で示す編成ステップＳ１〜Ｓ６について説明する。Ｓ１は、編出し部１としてＦＢの編針Ａ，Ｃ，Ｅ，Ｇ，ＩとＢＢの編針ｂ，ｄ，ｆ，ｈ，ｊを用い、給糸口１０を右方向に向けて前後交互に編成し、ＦＢの編針には掛目と、ＢＢの編針には編目が係止している状態を示す。図示はしないが、Ｓ１の前ステップでＢＢの編針ｂ，ｄ，ｆ，ｈ，ｊに抜き糸による編目が係止し、該編目が係止するＢＢの編針の位置では編目となり、空針となっていたＦＢの編針の位置では編目は掛目となる。Ｓ１では、後針床に抜き糸としての編目が係止された状態で、編出し部１を前後の針床を用いて編成したが、前針床に編目が係止された状態で行っても良く、片側の針床のみに編出し部１を編成した後、目移しを用いて前後の針床に割り当てても良い。
【００１５】
Ｓ２では、左方向に向けて編出し部１の一方のＦＢに係止する掛目に対し、ウェール方向に続けてＦＢの編針Ｉ，Ｇ，Ｅ，Ｃ，Ａで新たな編目列２を形成する。さらにＳ３では、右方向に編針Ａ，Ｃ，Ｅ，Ｇ，Ｉで新たな編目列３を形成する。但し、編針Ａ，Ｃ，Ｅ，Ｇ，Ｉでは割増やし編成を行うことで、それらに対向するＢＢの編針ａ，ｃ，ｅ，ｇ，ｉに分岐した編目列４の増目を形成する。割増やし編成では、Ｓ２で形成した編目列２の編目が、目移しされて分岐したＢＢの編目列４の増目となり、ＦＢには新たな編目列３が形成される。Ｓ４では、左向きにＢＢの編針ｉ，ｇ，ｅ，ｃ，ａで新たな編目列５を形成し、続いてそれらの編目列５の編目を、対向するＦＢの編針Ｉ，Ｇ，Ｅ，Ｃ，Ａに目移しする。Ｓ３で形成したＦＢの編針Ａ，Ｃ，Ｅ，Ｇ，Ｉに係止する編目列３への重ね目となる。
【００１６】
Ｓ５では、右向きにＢＢの編針ｂ，ｄ，ｆ，ｈ，ｊに新たな編目列６を形成する。Ｓ１で編成した編出し部１の他方の編目列に繋がる新たな編目列６で、ＦＢに対するＳ２の編成と同じ関係の、ＢＢに対する編成となり、両編成により、編出し部１に続く袋状の編地を形成する。Ｓ１〜Ｓ５に至る新たな編目列の形成では、ＦＢで４目、ＢＢで２目が形成され、前後の編目差によりＦＢ側に厚みが加わる。この段階では前後針床に編目を係止しているが、編地の始端部であり、そのまま連続して袋状の編地を形成しても良い。また、一方の針床側に目移しを行い天竺の編地を形成しても良いし、リブ組織を形成しても良い。厚手でありながらも伸縮性を有する始端部である為、編地が伸縮するリブ組織には、伸縮する編出し部１がラッパ状に広がり難い為、特に有効である。
【００１７】
Ｓ６では、左向きにＦＢの編針Ｉ，Ｇ，Ｅ，Ｃ，Ａに新たな編目列７を形成する。この後に連続する編組織により目移しを行って編目を前後針床の編針に割り当てても良いが、Ｓ２からＳ５までの工程をリピート単位として、その編成を繰り返すことで、編地の始端部に厚みを加えていくことができる。編地のゲージやデザイン、また糸素材などにより調整すればよいが、２〜４回程度が好ましい。厚手のしっかり感が出て、編地が硬くならない。割増やされた編目が編出し部１に繋がることで、引っ張られた場合には割増やされた編目列から編糸を供給し、引っ張りがなくなれば割増やされた編目列に伸びた編糸が戻ることで、適度な伸縮性が得られるからである。
【００１８】
また、Ｓ２の編目列２の編成と、Ｓ５の編目列６により袋状に編成できるが、その間にＳ３での割増やし編成を行うことで、その割増やしを行った編目や増目がその内側に収まり、綺麗な外観とすることができる。
【実施例２】
【００１９】
図２は、本発明の実施例２としての厚手の始端部を有する編地の編成図である。以下、図２で示す編成ステップＳ１〜Ｓ６について説明する。Ｓ１は、図１のＳ１と同様、編出し部１１としてＦＢの編針Ａ，Ｃ，Ｅ，Ｇ，ＩとＢＢの編針ｂ，ｄ，ｆ，ｈ，ｊを用い、給糸口１０を右方向に向けて前後交互に編成し、ＦＢの編針には掛目と、ＢＢの編針には編目が係止している状態を示す。Ｓ１の前ステップの状態や編成内容なども、同様である。
【００２０】
Ｓ２では、左方向に向けて編出し部１１の一方のＦＢに係止する掛目に対し、ウェール方向に続けてＦＢの編針Ｉ，Ｇ，Ｅ，Ｃ，Ａで新たな編目列１２を形成する。さらにＳ３では、右方向に編針Ａ，Ｃ，Ｅ，Ｇ，Ｉで新たな編目列１３を形成する。但し、編針Ａ，Ｃ，Ｅ，Ｇ，Ｉでは割増やし編成を行う。これらの各ステップにおいても、図１と編成内容が同様である。つまり、Ｓ２で形成した編目列１２が、目移しされて分岐したＢＢの編目列１４の増目となり、ＦＢには新たな編目列１３が形成される。Ｓ４では、左向きにＦＢの編針Ｉ，Ｇ，Ｅ，Ｃ，Ａで新たな編目列１５を形成する。
【００２１】
Ｓ５では、右方向に向けてＢＢの編針ｂ，ｄ，ｆ，ｈ，ｊに新たな編目列１６を形成する。さらに、Ｓ２で形成した編目列１２の編目が目移しされて分岐したＢＢの編針ａ，ｃ，ｅ，ｇ，ｉに係止する編目列１４の増目を、ＦＢの編針Ａ，Ｃ，Ｅ，Ｇ，Ｉに目移しする。この場合、Ｓ５での編目列１４の増目の目移しを、ＢＢの編針ｂ，ｄ，ｆ，ｈ，ｊに新たな編目列１６を形成した後に行っているが、その目移しにより、移された編目列１４の増目の編糸が、事前に編成した編目列１６のコース方向の編糸を押えることで、伸縮性は若干下がるものの、しっかりとした編地とすることが出来る。
【００２２】
Ｓ５の新たな編目列１６の形成は、Ｓ１で編成した編出し部１１の他方の編目に繋がる編成となり、ＦＢに対するＳ２の編成と同様に、ＢＢに対する編成となる。両編成により、編出し部１１に続く袋状の編地を形成する。Ｓ１〜Ｓ５に至る新たな編目の形成では、ＦＢで４目、ＢＢで２目が形成され、前後の編目差によりＦＢ側に厚みが加わる。Ｓ６では、左向きにＦＢの編針Ｉ，Ｇ，Ｅ，Ｃ，Ａに新たな編目列１７を形成する。実施例２においても、Ｓ２〜Ｓ５までの工程をリピート単位として、その編成を数回繰り返すことで、編地の始端部に厚みを加えることができる。
【００２３】
なお、本発明は、上述した実施形態に限定されるわけではなく、本発明の要旨を逸脱しない範囲で実施形態を適宜変更して実施することができる。例えば、上述した実施例１では、Ｓ４において、編目列４の増目に続けて新たな編目列５を形成し、その編目列５の編目を目移ししたが、その工程に替えて、Ｓ３で形成した編目列３に続けて新たな編目列を形成し、その新たな編目列の編目に編目列４の増目を目移しで重ね目としてもよい。割増やし編成によって分岐した増目を目移しで移動し、編地の始端部で編目の繋がりを持ちながら、前後の編目差が生じるようにすれば良い。一方に多くの編目を集めることで、従来にはない厚みが生じる。また、袋状の編地の内部に重ね目を有する形で編目が存在するので、膨らんだようになって見栄えがよい。
【００２４】
また、各実施形態では単層編地の形成を示したが、筒状の編地に適用しても良く、給糸口を他のものに入替え、弾性糸を添糸として加えて始端部を形成することもできる。そうすることで伸縮性が高まり、始端部に繋がる編地が伸縮性の高いリブ組織などの場合には、始端部がラッパ状に広がり難く伸縮のバランスがとれた綺麗な編地となる。
【符号の説明】
【００２５】
１，１１                                  編出し部
２〜７，１２〜１７                        編目列
１０，２０                                給糸口
【図１】
2012062605.tif 000003
【図２】
2012062605.tif 000004